(57)【特許請求の範囲】
【請求項１】
表示ユニットを製造する方法であって、
前記表示ユニットは、平面状のアクティブ制御可能な領域（２３）と観察者側の前面に配置されたカバーガラス（３）とを有する電気光学式ディスプレイを備え、
前記電気光学式ディスプレイと前記カバーガラス（３）との間に透明なボンディング質量体（１３）の層が配置され、
前記カバーガラス（３）は、１つの構造ユニットをなすべく、ボンディングフレーム（８）を用いた接着接合によって前記電気光学式ディスプレイに接続され、
前記構造ユニットは、前記カバーガラス（３）の前記観察者側の表面とディスプレイパネル（２７）とが１つの平面内に位置するように、前記ディスプレイパネル（２７）の凹部（２６）内に挿入される、方法において、
前記カバーガラス（３）が、当該カバーガラス（３）の平面に対して平行な第１の載置面（５）に載置されるまで位置決め装置（１）の第１の凹部内へ挿入され、
その後で、前記ボンディングフレーム（８）が、前記第１の載置面（５）の平面に対して平行な第２の載置面（６）に載置されるまで前記位置決め装置（１）の第２の凹部内へ挿入され、前記第１および第２の載置面（５，６）の平面相互の間隔（２８）は、前記ディスプレイパネル（２７）の、前記凹部（２６）を取り囲む領域の厚さに対応しており、
前記ボンディングフレーム（８）は、前記カバーガラス（３）に対して平行な脚部（９）を有し、前記脚部（９）の前記カバーガラス（３）に向いた周方向縁部は、前記カバーガラス（３）の周方向縁部を、１つの溝（１０）を形成する間隔で取り囲んでおり、前記脚部（９）は、該脚部（９）の前記観察者側とは反対側に、前記カバーガラス（３）の平面に対して平行な第３の載置面（１６）を有しており、該第３の載置面（１６）の平面は、所定の間隔（１１）で、前記カバーガラス（３）の前記観察者とは反対側の表面に対して平行に延在しており、
その後で、前記カバーガラス（３）と、前記ボンディングフレーム（８）の前記脚部（９）との間の前記溝（１０）に、前記両部材を相互に接合させるべく第１の接着剤（１２）が充填され、
その後で、前記カバーガラス（３）の観察者とは反対側の表面が、透明なボンディング質量体（１３）の層で覆われ、前記層は、前記カバーガラス（３）に面する前記脚部（９）の端面側まで延在し、前記層の前記観察者とは反対側は前記脚部（９）の第３の載置面（１６）と共に１つの平面を形成しており、
その後で、前記電気光学式ディスプレイの観察者側が、前記ボンディング質量体（１３）に載置され、これによって、前記電気光学式ディスプレイが、前記カバーガラス（３）を越えて延在する自身の周方向の縁部領域でもって前記脚部（９）の前記第３の載置面（１６）に載置され、
その後で、第２の接着剤（２５）が、前記電気光学式ディスプレイと前記ボンディングフレーム（８）とを直接的または間接的に接合すべく、前記電気光学式ディスプレイの周方向縁部領域と前記ボンディングフレーム（８）との間に充填され、
その後で、前記カバーガラス（３）、前記電気光学式ディスプレイおよび前記ボンディングフレーム（８）からなる構造ユニットが、前記観察者とは反対側から、前記ボンディングフレーム（８）が前記ディスプレイパネル（２７）に当接するまで挿入されて、当該ディスプレイパネル（２７）と接続され、前記カバーガラス（３）が前記ディスプレイパネル（２７）の前記凹部（２６）内へ入り込むようにした
ことを特徴とする方法。
【請求項２】
前記電気光学式ディスプレイの前記観察者とは反対側に、電子制御回路および／または照明ユニットを有するユニット（１９）が設けられている、請求項１記載の方法。
【請求項３】
前記第２の接着剤（２５）は、前記電気光学式ディスプレイと固定的に接続されたユニット（１９）を前記ボンディングフレーム（８）に接続すべく、当該ユニット（１９）の周方向縁部領域と前記ボンディングフレーム（８）との間に充填される、請求項２記載の方法。
【請求項４】
平面状のアクティブ制御可能な領域（２３）と観察者側の前面に配置されたカバーガラス（３）とを有する電気光学式ディスプレイを備えており、
前記電気光学式ディスプレイと前記カバーガラス（３）との間に透明なボンディング質量体（１３）の層が配置され、
前記カバーガラス（３）は、１つの構造ユニットをなすべく、ボンディングフレーム（８）を用いた接着接合によって前記電気光学式ディスプレイに接続され、
前記構造ユニットは、前記カバーガラス（３）の前記観察者側の表面とディスプレイパネル（２７）とが１つの平面内に位置するように、前記ディスプレイパネル（２７）の凹部（２６）内に挿入される、表示ユニットにおいて、
前記カバーガラス（３）の前記観察者とは反対側と、前記電気光学式ディスプレイの前面側との間に、透明なボンディング質量体（１３）によって充填される間隙が設けられており、
前記カバーガラス（３）の平面を越えて径方向に延在する前記電気光学式ディスプレイの領域（２１）が、その前面側でもって、前記ボンディングフレーム（８）の前記カバーガラス（３）に対して平行な脚部（９）の第３の載置面（１６）に載置され、
前記第３の載置面（１６）は、前記脚部（９）の観察者から遠い側であり、
前記脚部（９）の観察者側は、前記カバーガラス（３）の前面側に対して平行にかつそこから間隔をおいて延在し、この間隔は、前記ディスプレイパネル（２７）の凹部（２６）を取り囲んでいる領域の厚さに対応しており、
前記脚部（９）と前記カバーガラス（３）の相対向する径方向周側の間に溝（１０）を形成する間隔を有しており、前記溝（１０）内には、前記カバーガラス（３）と前記ボンディングフレーム（８）とを接合させる第１の接着剤（１２）が充填され、
第２の接着剤（２５）が、前記電気光学式ディスプレイの径方向周縁または前記電気光学式ディスプレイに固定的に接合されたユニット（１９）の径方向周縁と、前記電気光学式ディスプレイまたはそれに固定的に接合された前記ユニット（１９）を囲む前記ボンディングフレーム（８）の領域との間に充填されている
ことを特徴とする表示ユニット。
【請求項５】
前記ボンディングフレーム（８）は、Ｌ字型の断面を有しており、前記カバーガラス（３）に対して平行に配向された前記ボンディングフレーム（８）の第１の区分は、前記ボンディングフレーム（８）の脚部（９）を形成し、前記ボンディングフレーム（８）の第２の区分（１４）は、前記ディスプレイパネル（２７）から離れる方向に向いており、前記第２の接着剤（２５）は、前記電気光学式ディスプレイの径方向周縁または前記電気光学式ディスプレイに固定的に接合されたユニット（１９）の径方向周縁と、前記Ｌ字型ボンディングフレーム（８）の前記第２の区分（１４）との間に充填されている、請求項４記載の表示ユニット。
【請求項６】
前記ボンディング質量体（１３）は、前記カバーガラス（３）および前記電気光学式ディスプレイの前面側基板の屈折率に少なくとも近似的に対応している屈折率を有している、請求項４または５記載の表示ユニット。
【請求項７】
前記カバーガラス（３）は、低反射性の材料からなっている、請求項４から６いずれか１項記載の表示ユニット。
【請求項８】
前記カバーガラス（３）の前面側は、防眩反射防止コーティングを備えている、請求項７記載の表示ユニット。
【請求項９】
前記ユニット（１９）は、電子制御回路および／または照明ユニットを有している、請求項４から８いずれか１項記載の表示ユニット。
【請求項１０】
前記ユニット（１９）は、ハウジング（２４）を有している、請求項９記載の表示ユニット。
【請求項１１】
前記電気光学式ディスプレイのアクティブ制御可能な領域（２３）は、前記カバーガラス（３）の平面状延在部の領域を越えて延在する、請求項４から９いずれか１項記載の表示ユニット。
【発明の詳細な説明】
【技術分野】
【０００１】
本発明は、表示ユニットが、平面状のアクティブ制御可能な領域と観察者側の前面に配置されたカバーガラスとを有する電気光学式ディスプレイを備え、電気光学式ディスプレイとカバーガラスとの間に透明なボンディング質量体の層が配置され、カバーガラスは、１つの構造ユニットをなすべく、ボンディングフレームを用いた接着接合によって電気光学式ディスプレイに接続され、構造ユニットは、カバーガラスの観察者側の表面とディスプレイパネルとが１つの平面内に位置するように、ディスプレイパネルの凹部内に挿入される、表示ユニットを製造する方法および表示ユニットに関する。
【背景技術】
【０００２】
この種の表示ユニットでは、表示ユニットの表示の光学的な障害を回避するために、平面状のアクティブ制御可能な領域とカバーガラスとを互いに所定の間隔をおいて配置することが必要である。その他にも、電気光学式ディスプレイとカバーガラスとの間に形成されボンディング質量体が充填される間隙を、所定の寸法に正確に維持し、ボンディング質量体の容積を所期のように設定調整できるようにする必要がある。この目的のために、この間隙を、カバーガラスと電気光学式ディスプレイの前面側ディスプレイガラスとの間のスペーサによって決定することが知られているが、この方法は構造を複雑にし、観察者から見ることができる領域に支障をきたす。
【発明の概要】
【発明が解決しようとする課題】
【０００３】
したがって、本発明の課題は、冒頭に述べたような形式の表示ユニットの製造方法および表示ユニットにおいて、光学的な支障が回避されるような単純な構造を有し、製造が容易で、ディスプレイパネルに簡単に取り付け可能であるように改善を施すことにある。
【課題を解決するための手段】
【０００４】
上記課題は、本発明に係る表示装置の製造方法によって解決される。本方法は、カバーガラスが、カバーガラスの平面に対して平行な第１の載置面に載置されるまで位置決め装置の第１の凹部内へ挿入され、その後で、ボンディングフレームが、第１の載置面の平面に対して平行な第２の載置面に載置されるまで位置決め装置の第２の凹部内へ挿入され、第１および第２の載置面の平面相互の間隔は、ディスプレイパネルの、凹部を取り囲む領域の厚さに対応しており、ボンディングフレームは、カバーガラスに対して平行な脚部を有し、脚部のカバーガラスに向いた周方向縁部は、カバーガラスの周方向縁部を、１つの溝を形成する間隔で取り囲んでおり、脚部は、脚部の観察者側とは反対側に、カバーガラスの平面に対して平行な第３の載置面を有しており、第３の載置面の平面は、所定の間隔で、カバーガラスの観察者とは反対側の表面に対して平行に延在しており、その後で、カバーガラスと、ボンディングフレームの脚部との間の溝に、両部材を相互に接合させるべく第１の接着剤が充填され、その後で、カバーガラスの観察者とは反対側の表面が、透明なボンディング質量体の層で覆われ、層は、カバーガラスに面する脚部の端面側まで延在し、層の観察者とは反対側は脚部の第３の載置面と共に１つの平面を形成しており、その後で、電気光学式ディスプレイの観察者側が、ボンディング質量体に載置され、これによって電気光学式ディスプレイが、カバーガラスを越えて延在する自身の周方向の縁部領域でもって脚部の第３の載置面に載置され、その後で、第２の接着剤が、電気光学式ディスプレイとボンディングフレームとを直接的または間接的に接合すべく、電気光学式ディスプレイの周方向縁部領域とボンディングフレームとの間に充填され、その後で、カバーガラス、電気光学式ディスプレイおよびボンディングフレームからなる構造ユニットが、観察者とは反対側から、ボンディングフレームがディスプレイパネルに当接するまで挿入されて、ディスプレイパネルと接続され、カバーガラスがディスプレイパネルの凹部内へ入り込むようにする。
【０００５】
電気光学式ディスプレイは、好ましくは、液晶ディスプレイや有機ＥＬディスプレイである。
【０００６】
また、電気光学式ディスプレイは、平面だけでなく曲面形状や反り形状も有し得ることを理解されたい。その場合には、位置決め装置の載置面が相応に曲面状にまたは反り形状に構成される。
【０００７】
この製造方法により、位置決め装置内での相互の正確な位置決めによるボンディングフレームとカバーガラスとの間のボンディング質量体の充填の正確な準備とその後の接着のために、所定の容積の平行な収容間隙が生成され、この間隙内に相応に定められた体積のボンディング質量体が充填可能となる。これにより、邪魔なスペーサはもはや不要となる。
【０００８】
第１の接着剤により、カバーガラスとボンディングフレームとの間の溝は、液密に遮蔽される。
【０００９】
好ましくは、位置決め装置は、少なくともその表示ユニットの構成要素が接触する表面にノンスティックコーティングを備えており、これによって接着剤と位置決め装置との間で接着が生じることもない。
【００１０】
電気光学式ディスプレイの観察者とは反対の側には、電子制御回路および／または照明ユニットを有するユニットが配置可能である。その際には電気光学式ディスプレイと固定的に接合されたユニットをボンディングフレームに接合すべく、第２の接着剤がユニットの周方向縁部領域とボンディングフレームとの間に充填されていてもよい。
【００１１】
また上記課題は、本発明による表示ユニットによって解決される。本表示ユニットは、カバーガラスの観察者とは反対側と、電気光学式ディスプレイの前面側との間に、透明なボンディング質量体によって充填される間隙が設けられており、カバーガラスの平面を越えて径方向に延在する電気光学式ディスプレイの領域が、その前面側でもって、ボンディングフレームのカバーガラスに対して平行な脚部の第３の載置面に載置され、第３の載置面は、脚部の観察者から遠い側であり、脚部の観察者側は、カバーガラスの前面側に対して平行にかつそこから間隔をおいて延在し、この間隔は、ディスプレイパネルの凹部を取り囲んでいる領域の厚さに対応しており、脚部とカバーガラスとの相互に相対向する径方向周側の間に溝を形成する間隔を有しており、溝内には、カバーガラスとボンディングフレームとを接合させる第１の接着剤が充填され、第２の接着剤が、電気光学式ディスプレイの径方向周縁または電気光学式ディスプレイに固定的に接合されたユニットの径方向周縁と、電気光学式ディスプレイまたはそれに固定的に接合されたユニットを囲むボンディングフレームの領域との間に充填される。
【００１２】
この構成により、上述した方法によって製造された表示ユニットと同じ利点および特性が達成される。
【００１３】
取り付けが容易で軽量の小型表示装置を実現するために、本発明によれば、ボンディングフレームは、Ｌ字型の断面を有しており、カバーガラスに対して平行に配向されたボンディングフレームの第１の区分は、ボンディングフレームの脚部を形成し、ボンディングフレームの第２の区分は、ディスプレイパネルから離れる方向に向いており、第２の接着剤は、電気光学式ディスプレイの径方向周縁または電気光学式ディスプレイに固定的に接合されたユニットの径方向周縁と、Ｌ字型ボンディングフレームの第２の区分との間に充填される。
【００１４】
なお、ここではボンディングフレームが任意のその他の好適な断面を有していてもよいことを理解されたい。
【００１５】
ボンディング質量体は、カバーガラスおよび電気光学式ディスプレイの前面側基板の屈折率に少なくとも近似的に対応している屈折率を有しており、これによって、カバーガラス、ボンディング質量体および電気光学式ディスプレイの前面ガラスを透過した光がこれらの部材の境界面において屈折または反射しなくなる。
【００１６】
カバーガラスが低反射性の材料からなり、防眩反射防止コーティングを備えているならば、カバーガラスに入射光の光反射が回避される。
【００１７】
アクティブ制御可能な領域の駆動および電気光学式ディスプレイの照明のために、ユニットは、電子制御回路および／または照明ユニットを有しており、これらは、電気光学式ディスプレイの観察者とは反対側に配置されている。電子制御回路と照明ユニットの保護およびライトボックスの形成のために、ユニットは、ハウジングを有していてもよい。
【００１８】
電気光学式ディスプレイのアクティブ制御可能な領域が、カバーガラスの平面状延在部の面積以下の面積領域を越えて延在するならば、表示ユニットの前面面積に比べて、制御可能な領域の大面積化、および情報表示のための大面積化が可能となる。
【００１９】
本発明の実施形態は、図面に示されており、以下でさらに詳細に説明する。
【図面の簡単な説明】
【００２０】
【図１】位置決め装置の断面図である。
【図２】カバーガラスが挿入された図１に係る位置決め装置の断面図である。
【図３】カバーガラスとボンディングフレームが挿入された、図１に係る位置決め装置の断面図である。
【図４】カバーガラスとボンディングフレームが挿入され、第１の接着剤が充填された、図１に係る位置決め装置の断面図である。
【図５】カバーガラスとボンディングフレームが挿入され、第１の接着剤が充填されボンディング質量体が設けられた、図１に係る位置決め装置の断面図である。
【図６】カバーガラスとボンディングフレームが挿入され、液晶表示部とディスプレイモジュールが配置され、第１の接着剤が充填され、ボンディング質量体が設けられた、図１に係る位置決め装置の断面図である。
【図７】カバーガラスとボンディングフレームが挿入され、液晶ディスプレイとディスプレイモジュールが配置され、第１の接着剤と第２の接着剤が充填され、ボンディング質量体が設けられた、図１に係る位置決め装置の断面図である。
【図８】ディスプレイパネルの凹部に挿入された表示ユニットの断面図である。
【発明を実施するための形態】
【００２１】
図１に示される位置決め装置１は、より深い位置にある第１の段状凹部２を有しており、この第１の段状凹部２の周辺輪郭は、挿入されるカバーガラス３に対応し、片側が開口している。この第１の段状凹部２の開口側には、第２の段状凹部４が位置決め装置１内に形成されており、その面状延在部分は、第２の段状凹部２よりも大きく、そのため第２の段状凹部２を取り囲むように１つの段差が第１の段状凹部２に対して形成されている。
【００２２】
第１の段状凹部２の底部は第１の載置面５を形成し、第２の段状凹部４の底部は第１の載置面５に平行する第２の載置面６を形成している。
【００２３】
第１および第２の段状凹部２，４の壁部には、ノンスティックコーティング７が施されている。
【００２４】
図２では、前面側に防眩反射防止コーティングが施された低反射性のガラスからなるカバーガラス３が挿入されている。
【００２５】
続いて、図３に示すように、第２の段状凹部４内にＬ字型のボンディングフレーム８が挿入される。このボンディングフレーム８は、カバーガラス３の平面に対して平行に延在しかつ脚部９を形成しているその第１の区分の外側１５が第１の載置面５に置かれ、その自由端部はカバーガラスに向けられている。脚部９の自由端部と、カバーガラス３を径方向で取り囲んでいる端面との間には間隔が残されており、この間隔が溝１０を形成している。
【００２６】
脚部９の外側１５に対して平行に延在している脚部９の内側１６は、所定の間隔１１をおいてカバーガラス３の観察者とは反対側の面に対して平行に延びる平面内へ延在している。
【００２７】
図４では、溝１０に第１の接着剤１２が充填されており、これによってカバーガラス３がボンディングフレーム８と接合される。
【００２８】
図５に示すように、透明なボンディング質量体１３の容積を画定している層によって、観察者とは反対側の平面が脚部９の内側１６と同じ平面内に延在するように、カバーガラス３の観察者とは反対側が覆われている。このボンディング質量体１３の層は、第１の接着剤１２を越えて脚部９の自由端部にまで達している。
【００２９】
Ｌ字型のボンディングフレーム８の第２の区分１４は、第２の載置面６から離れる方向に延在し、その外側１７は、第２の段状凹部４の側壁１８に当接する。
【００３０】
それに続いて、ボンディングフレーム８によって形成される収容部内に、液晶ディスプレイ２０とディスプレイモジュール１９とからなる構造ユニットが挿入される。図７に示すように、液晶ディスプレイ２０は、カバーガラス３よりも大きくなる拡張部分を有しており、このディスプレイの前面側２２の、カバーガラス３を越えて延在する領域２１が、脚部９の内部１６に載置されている。それ以外の液晶ディスプレイのディスプレイガラスによって形成される前面側は、ボンディング質量体１３に載置される。
【００３１】
カバーガラス、ボンディング質量体１３および液晶ディスプレイ２０は、十分に対応する屈折率を有している。
【００３２】
液晶ディスプレイ２０のアクティブ制御可能な領域２３の表面領域の広がりがカバーガラス３の表面に対応し、これに平行に覆われる。
【００３３】
ディスプレイモジュール１９は、ハウジング２４を備え、第２の接着剤２５を用いてボンディングフレーム８の第２の部分１４と接合される（図７参照）。これによって、この表示ユニットは、ディスプレイパネル２７の切欠部２６内への設置の準備ができる。
【００３４】
ディスプレイモジュール１９のハウジング２４内には、液晶ディスプレイ２０のアクティブ制御可能な領域２３を駆動制御する電子制御回路と、液晶ディスプレイ２０を照明する照明ユニットとが設けられている。
【００３５】
第１の段状凹部４の深さは、ディスプレイパネル２７の凹部２６を取り囲んでいる領域の厚さに対応している。これにより、脚部９の外側１５の表面と、カバーガラス３の観察者側表面との間の間隔２８も、ディスプレイパネル２７の凹部２６を取り囲んでいる領域の厚さに対応している。そのため、カバーガラス３の観察者側表面の平面は、ディスプレイパネル２７の観察者側表面と同じ平面内に延在する。
【図１】
0006300935.tif 000002
【図２】
0006300935.tif 000003
【図３】
0006300935.tif 000004
【図４】
0006300935.tif 000005
【図５】
0006300935.tif 000006
【図６】
0006300935.tif 000007
【図７】
0006300935.tif 000008
【図８】
0006300935.tif 000009